(57)【要約】【課題】容器と一体形成された凹部空間に配置されエアーポンプから供給される空気を容器内の水溶液中に噴き出しながら魚介類を輸送するための発泡スチロール製蓋付き容器において、ポンプ室への浸水を回避し、エアーポンプが水を被って損傷を受けることを防止する。【解決手段】エアーポンプ１３が配置されるポンプ室と成る凹部空間４を形成する容器１と一体形成の隔壁１０の上端面に排水溝１１を設ける。または、凹部空間４を囲むように容器１と一体形成した隔壁により排水室を設ける。【選択図】　図２
2004016125.tif 000002
【特許請求の範囲】
【請求項１】
水溶液とともに魚介類を入れ、容器と一体形成された凹部空間に配置されエアーポンプから供給される空気を容器内の水溶液中に噴き出しながら魚介類を輸送する発泡スチロール製蓋付き容器であって、
前記エアーポンプが配置される凹部空間を形成する容器と一体形成の隔壁上端面に、容器の外部に排水可能な排水溝を設け、
前記凹部空間は排水構造のないポンプ室と成り、容器に蓋を被せた状態で蓋内面が前記隔壁上端面に当接し、水溶液とともに魚介類が入れられた容器の水槽側から前記凹部空間に水が浸入しないような構造としたことを特徴とする魚介類輸送用の発泡スチロール製蓋付き容器。
【請求項２】
水溶液とともに魚介類を入れ、容器と一体形成された凹部空間に配置されエアーポンプから供給される空気を容器内の水溶液中に噴き出しながら魚介類を輸送する発泡スチロール製蓋付き容器であって、
前記エアーポンプが配置される凹部空間を容器のコーナー部に容器と一体形成した隔壁により形成し、この凹部空間は排水構造のないポンプ室と成り、
前記凹部空間を囲むように容器と一体形成した隔壁により容器の外部に排水可能な排水室を設置し、
容器に蓋を被せた状態で蓋内面が前記両隔壁上端面に当接し、
前記ポンプ室を前記排水室により、水溶液とともに魚介類が入れられる容器の水槽と隔離し、ポンプ室に水が浸入しないような構造としたことを特徴とする魚介類輸送用の発泡スチロール製蓋付き容器。
【請求項３】
前記エアーポンプの給気用チューブを、ポンプ室から、前記凹部空間を形成する隔壁を迂回し、容器の箱壁を通って容器の水槽内に間接配置したことを特徴とする請求項１又は請求項２に記載の魚介類輸送用の発泡スチロール製蓋付き容器。
【請求項４】
前記ポンプ室の上部を覆うように、該ポンプ室を区画形成する隔壁及び容器の箱壁の各上端面を含んで防水シールを貼付したことを特徴とする請求項３に記載の魚介類輸送用の発泡スチロール製蓋付き容器。
【発明の詳細な説明】
【０００１】
【発明の属する技術分野】
本発明は、魚介類輸送用の発泡スチロール製蓋付き容器に関し、特に、容器内に空気を給気するためのエアーポンプが配置される凹部空間に水が浸入しないようにする。
【０００２】
【従来の技術】
従来の魚介類を入れて輸送する発泡スチロール製蓋付き容器を図６、図７に示す。この容器１は、水溶液とともに魚介類が入れられる内部空間である水槽３と、エアーポンプ１３を収納配置するために容器１と一体形成された隔壁１０と箱壁９により形成された凹部空間４（ポンプ室となる）とを備え、容器１の上面開口には蓋（図示なし）が装着される。容器１の箱壁９は、その上端内周部が蓋嵌合用に凸条５に形成され、また、エアーポンプ１３の吸気及び排水のための孔８が設けられている。エアーポンプ１３が内蔵の電池電源により駆動されると、外部から吸気して、給気用チューブ１４を経て給気口１５より水槽３内に給気する。この容器を用いることで、魚介類を活かして輸送することができる。
【０００３】
【発明が解決しようとする課題】
しかしながら、従来のこの種の容器は、水槽３とポンプ室である凹部空間４とが壁を隔てて直接配置された構造であるため、水槽壁と蓋間の隙間や、給気用チューブ１４とその通路の隙間を通って水槽側からポンプ室が浸水し易いものとなっていた。そのため、凹部空間４には、浸入した水を排出する孔を必要とするばかりか、エアーポンプ１３が水を被って損傷を受け易いものとなっていた。なお、図６及び図７において、浸水領域を網掛けで示している。
【０００４】
本発明は、上記問題を解消するものであり、ポンプ室の浸水を回避可能な構造とし、エアーポンプが水を被って損傷を受けることを防止できる魚介類輸送用の発泡スチロール製蓋付き容器を提供することを目的とする。
【０００５】
【課題を解決するのための手段】
本発明は、水溶液とともに魚介類を入れ、容器と一体形成された凹部空間に配置されエアーポンプから供給される空気を容器内の水溶液中に噴き出しながら魚介類を輸送する発泡スチロール製蓋付き容器であって、前記エアーポンプが配置される凹部空間を形成する容器と一体形成の隔壁上端面に、容器の外部に排水可能な排水溝を設け、前記凹部空間は排水構造のないポンプ室と成り、容器に蓋を被せた状態で蓋内面が前記隔壁上端面に当接し、水溶液とともに魚介類が入れられた容器の水槽側から前記凹部空間に水が浸入しないような構造としたものである。
また、本発明は、水溶液とともに魚介類を入れ、容器と一体形成された凹部空間に配置されエアーポンプから供給される空気を容器内の水溶液中に噴き出しながら魚介類を輸送する発泡スチロール製蓋付き容器であって、前記エアーポンプが配置される凹部空間を容器のコーナー部に容器と一体形成した隔壁により形成し、この凹部空間は排水構造のないポンプ室と成り、前記凹部空間を囲むように容器と一体形成した隔壁により容器の外部に排水可能な排水室を設置し、容器に蓋を被せた状態で蓋内面が前記両隔壁上端面に当接し、前記ポンプ室を前記排水室により、水溶液とともに魚介類が入れられる容器の水槽と隔離し、ポンプ室に水が浸入しないような構造としたものである。
また、上記において、エアーポンプの給気用チューブを、ポンプ室から、凹部空間を形成する隔壁を迂回し、容器の箱壁を通って容器の水槽内に間接配置したものとすればよい
また、前記ポンプ室の上端部を覆うように、該ポンプ室を区画形成する隔壁及び容器の箱壁の各上端面を含んで防水シールを貼付したものとしてもよい。
【０００６】
【発明を実施するための形態】
以下、本発明の実施形態について図面を参照して説明する。図１は発泡スチロール製蓋付き容器の全体構成を示し、図２は第１実施形態の容器を示す。第１実施形態に係る容器１は、発泡スチロール製であって、その内部空間に水溶液とともに魚介類が入れられる水槽３と、容器１のコーナー部に一体形成された隔壁１０により区画された凹部空間４とが形成され、この凹部空間４には電池を具備したエアーポンプ１３が配置される。容器１の上面開口には、蓋２が被せられる。エアーポンプ１３は、容器１の水槽３に水とともに魚介類を入れて輸送する時に、外部空気を吸気し、給気用チューブ１４を経て給気口１５より水槽３内の水溶液中に噴き出すためのものである。なお、容器１と蓋２とは、互いに上下に積み重ねたときに嵌まり合う凸部６と凹部７とが形成されている。
【０００７】
上記凹部空間４を形成する隔壁１０の上端面に、容器１の外部に排水可能な排水溝１１を設け、凹部空間４は排水構造のないポンプ室としている。排水溝１１の一端側は容器外に開口して、排水口１２を成している。容器１の箱壁９の上端内周部及び隔壁１０の上端面には、凸条５が形成される一方、蓋２の下面には、蓋２を容器１に被せたとき、凸条５に嵌合される凹凸部１８が一体に形成されている。容器１に蓋２を被せた状態で、蓋２の内面が箱壁９及び隔壁１０の上端面に当接し、かつ、蓋２の凸部が凹部空間４を区画する隔壁１０及び箱壁９の凸条５の内方に嵌合する。
【０００８】
また、容器１の箱壁９の上編部近傍には、エアーポンプ１３の動作時に外部空気を吸気する吸気口８と、給気用チューブ１４を水槽３内へ導くための溝９ａが設けられている。この溝９ａは凸条５を貫通し、かつ、その外側根元部に沿って形成されている。このように溝９ａが設けられていることで、給気用チューブ１４は隔壁１０を迂回して配置され、水槽３内に間接配置されたものとなる。
【０００９】
上記のように構成されていることにより、凹部空間４すなわちポンプ室と水槽３とは隔離されたものとなる。このため、凹部空間４が排水構造のないポンプ室でありながら、従来のように、蓋２と水槽３の壁との隙間や、給気用チューブ１４とその通路の隙間を通って、水槽３側から凹部空間４に水が浸入してくることがなくなる。従って、エアーポンプ１３が水を被って損傷を受けるようなことが防止される。
【００１０】
図３は第２実施形態の容器を示す。本実施形態に係る容器１においては、エアーポンプ１３が配置される凹部空間４を囲むように容器１と一体形成した隔壁１０，２０により排水室２１を設置した点が、上記実施形態とは主に相違する。この排水室２１には、容器１の外部に排水するための排水口２２が容器１の側面に開口している。エアーポンプ１３の給気用チューブ１４の配置は、上記第１実施形態と同様であってもよいが、ここでは排水室２１を貫通する形で配置されたものを示している。容器１に蓋２を被せた状態で、蓋２内面が排水室２１を区画する隔壁１０，２０の上端面に当接し、かつ、凹凸部１８が嵌り込む。
【００１１】
この構成においても、ポンプ室である凹部空間４と水槽３との間に排水室２１を設置することにより、ポンプ室と水槽３側とを隔離している。これにより、ポンプ室に水が浸入しないものとなる。
【００１２】
図４は第３実施形態の容器を示す。本実施形態に係る容器１においては、ポンプ室である凹部空間４の上端部を覆うように、ポンプ室を区画形成する隔壁１０及び容器１の箱壁９の各上端面を含んで防水シール２３を貼付したものである。本実施形態においても、上記と同等の効果が得られるが、第１又は第２実施形態の構成との併用が好ましい。
【００１３】
図５は第４実施形態の容器を示す。本実施形態に係る容器１においては、給気用チューブ１４を隔壁１０を迂回して配置し、水槽３内に間接配置したものである。本実施形態においても、上記と同等の効果が得られるが、第１又は第２実施形態の構成との併用が好ましい。なお、本発明は、上記実施形態の構成に限られることなく、種々の変形が可能である。
【００１４】
【発明の効果】
以上のように本発明の魚介類輸送用の発泡スチロール製蓋付き容器によれば、エアーポンプが配置される凹部空間を形成する容器と一体形成の隔壁上端面に排水溝を設けたので、ポンプ室への浸水を回避することができ、エアーポンプが水を被って損傷を受けることがなくなる。
また、ポンプ室と成る凹部空間を囲むように容器と一体形成した隔壁により排水室を設けたので、上記と同等の効果が得られる。
【図面の簡単な説明】
【図１】本発明の実施形態による蓋付き容器の外観図。
【図２】（ａ）（ｂ）は本発明の第１実施形態による容器の平面図及び側面面。
【図３】本発明の第２実施形態による容器の平面図及び側面面。
【図４】本発明の第３実施形態による容器の平面図及び側面面。
【図５】本発明の第４実施形態による容器の平面面。
【図６】従来の容器の平面図。
【図７】従来の容器の平面図。
【符号の説明】
１　容器
２　蓋
３　水槽
４　凹部空間
５　凸条
９　箱壁
９ａ　溝
１０　隔壁
１１　排水溝
１３　エアーポンプ
１４　給気用チューブ
２０　隔壁
２１　排水室
２３　防水シール
【図１】
2004016125.tif 000003
【図２】
2004016125.tif 000004
【図３】
2004016125.tif 000005
【図４】
2004016125.tif 000006
【図５】
2004016125.tif 000007
【図６】
2004016125.tif 000008
【図７】
2004016125.tif 000009
【手続補正書】
【提出日】平成14年7月23日(2002.7.23)
【手続補正１】
【補正対象書類名】図面
【補正対象項目名】図５
【補正方法】変更
【補正の内容】
【図５】
2004016125.tif 000010